(57)【要約】【課題】プリント基板に搭載されたＬＥＤベアチップを封止する透光性樹脂による防湿性が向上したＬＥＤ光源を提供すること。【解決手段】多層プリント基板２２に搭載された複数個のＬＥＤベアチップＣ11〜Ｃ88と、前記ＬＥＤベアチップＣ11〜Ｃ88を封止する透光性を有した封止樹脂２６とを有し、前記ＬＥＤベアチップＣ11〜Ｃ88間を接続する配線パターン（不図示）の一部と給電ランドパターン４２の一部とを、ＬＥＤベアチップＣ11〜Ｃ88が搭載されている絶縁層３２表面以外の絶縁層表面（不図示）に形成された配線パターン（不図示）を介して接続することにより、前記封止樹脂２６が前記絶縁層３２と直に接触する領域において、前記ＬＥＤベアチップＣ11〜Ｃ88を完全に取り囲む領域５０を形成した。【選択図】          図３
2004193357.tif 000002
【特許請求の範囲】
【請求項１】
プリント基板上にＬＥＤベアチップが搭載され、当該ＬＥＤベアチップが樹脂または低融点ガラスからなる封止体でプリント基板上に封止され、
封止域外方に存する、プリント基板の給電ランドから、封止域内のＬＥＤベアチップ搭載位置近傍まで給電用の導体パターンが形成されたＬＥＤ光源であって、
前記導体パターンは、給電ランドからＬＥＤベアチップ搭載位置に至るまでの途中がプリント基板の表面から内部若しくは裏面を経由して形成されており、
前記封止体は、導体パターンが基板内部若しくは裏面を経由する部分の基板表面と直に接触する状態で、ＬＥＤベアチップを封止していることを特徴とするＬＥＤ光源。
【請求項２】
前記プリント基板は複数の絶縁層が積層されてなる多層プリント基板であって、
前記導体パターンは、給電ランドからＬＥＤベアチップ搭載位置に至るまでの途中が、ＬＥＤベアチップが搭載されている絶縁層以外の絶縁層の表面に形成されていることを特徴とする請求項１記載のＬＥＤ光源。
【請求項３】
前記ＬＥＤベアチップの搭載側とは反対側の最外層を構成する絶縁層に金属板が貼着されてなることを特徴とする請求項２記載のＬＥＤ光源。
【請求項４】
前記プリント基板は、前記絶縁層が無機質フィラーと樹脂組成物と含むコンポジット基板であることを特徴とする請求項２または３記載のＬＥＤ光源。
【請求項５】
請求項１〜４のいずれか１項に記載のＬＥＤ光源を、光源に用いたことを特徴とする照明装置。
【請求項６】
請求項１〜４のいずれか１項に記載のＬＥＤ光源を、光源に用いたことを特徴とする表示装置。
【発明の詳細な説明】
【０００１】
【発明の属する技術分野】
本発明は、ＬＥＤ光源、ＬＥＤ照明装置、およびＬＥＤ表示装置に関し、特に、プリント基板に搭載されたＬＥＤベアチップに対する防湿技術に関する。
【０００２】
【従来の技術】
照明分野において、例えば、ＬＥＤベアチップ多数個をプリント基板に２次元配列し、一斉に発光させることによって、面状光源として用いることが検討されている。
このようなＬＥＤ光源においては、一般的に、各ＬＥＤベアチップを直列や並列に接続するための導体パターン（以下、「配線パターン」と言う。）を基板に形成し、当該配線パターンの高電位側となる末端と低電位側となる末端とを、基板端部付近に形成した導体パターン（以下、「給電ランドパターン」と言う。）に接続し、当該給電ランドパターンから給電することによって、各ＬＥＤベアチップを発光するような構成をとっている。
【０００３】
また、ＬＥＤベアチップは、そのままでは、空気中の水分が侵入して寿命が短くなってしまう。そのため、従来、基板搭載後にＬＥＤベアチップをエポキシなどの樹脂で封止して、当該ＬＥＤチップを外気から遮断することが行われている。
封止の一態様として、全てのＬＥＤベアチップをまとめて封止することが考えられる。すなわち、ＬＥＤベアチップが搭載される基板のぼぼ全体に樹脂を塗布するのである。
【０００４】
また、他の態様として、各ＬＥＤベアチップを樹脂で個別に封止することが考えられる。すなわち、ＬＥＤベアチップ１個ずつに、ディスペンサーで樹脂を滴下して封止するのである。
なお、上記いずれの場合も、塗布または滴下の後、樹脂の硬化がなされる。
【０００５】
【特許文献１】
特開平８−３２１６３４号公報（図１，図２参照）
【０００６】
【発明が解決しようとする課題】
しかしながら、前者の方法では、給電ランドパターンは外部電源と接続する必要があるのでその全部を樹脂で被覆することはできず、当該給電ランドパターンの一部または全部が露出するように樹脂の塗布がなされる。その結果、ＬＥＤベアチップの外気との遮断は、一部、樹脂と給電ランドパターンとの界面（給電ランドパターンの一部を露出させた場合）または樹脂と給電ランドパターンに至る配線パターン部分との界面（給電ランドパターンを全部露出させた場合）でなされることとなる関係上、当該界面部分で樹脂の剥離が生じ、剥離部分から水分や塵などが侵入してしまうといった問題が生じる。配線パターンや給電ランドパターンに使用される金属とＬＥＤベアチップのモールドに用いられる樹脂とは、比較的接着性が低いことに加え、ＬＥＤの点灯による発熱によって配線パターンや給電ランドパターンと樹脂の間に線膨張係数の違いに起因した寸法差が生じ、これが原因で剥離が生じるからである。
【０００７】
一方、後者の方法でも、給電ランドパターンの全部を樹脂で被覆することができない事情は前者の方法の場合と同様であり、そのため、上記した後者の方法と同様の問題が生じる。
特に、ＬＥＤを照明用光源として用いる場合には、光量を上げるために投入電力が多くなり、その分発熱量も多くなるので、上記した問題が顕著になる。
【０００８】
なお、上記のような問題は、基板に多数個のＬＥＤベアチップが搭載されてなる上述した場合のみならず、上記特許文献１に記載されているような、基板に１個のＬＥＤベアチップチップが搭載されてなる表面実装タイプとしたＬＥＤ光源の場合にも生じる。
本発明は、上記した課題に鑑み、プリント基板に搭載されたＬＥＤベアチップの樹脂による防湿性を向上させることを目的とする。
【０００９】
【課題を解決するための手段】
上記の目的を達成するため、本発明に係るＬＥＤ光源は、プリント基板上にＬＥＤベアチップが搭載され、当該ＬＥＤベアチップが樹脂または低融点ガラスからなる封止体でプリント基板上に封止され、封止域外方に存する、プリント基板の給電ランドから、封止域内のＬＥＤベアチップ搭載位置近傍まで給電用の導体パターンが形成されたＬＥＤ光源であって、前記導体パターンは、給電ランドからＬＥＤベアチップ搭載位置に至るまでの途中がプリント基板の表面から内部若しくは裏面を経由して形成されており、前記封止体は、導体パターンが基板内部若しくは裏面を経由する部分の基板表面と直に接触する状態で、ＬＥＤベアチップを封止していることを特徴とする。
【００１０】
また、前記プリント基板は複数の絶縁層が積層されてなる多層プリント基板であって、前記導体パターンは、給電ランドからＬＥＤベアチップ搭載位置に至るまでの途中が、ＬＥＤベアチップが搭載されている絶縁層以外の絶縁層の表面に形成されていることを特徴とする。
さらに、前記ＬＥＤベアチップの搭載側とは反対側の最外層を構成する絶縁層に金属板が貼着されてなることを特徴とする。
【００１１】
また、前記プリント基板は、前記絶縁層が無機質フィラーと樹脂組成物と含むコンポジット基板であることを特徴とする。
上記の目的を達成するため、本発明に係る照明装置は、上記したＬＥＤ光源を、光源に用いたことを特徴とする。
上記の目的を達成するため、本発明に係る表示装置は、上記したＬＥＤ光源を、光源に用いたことを特徴とする。
【００１２】
【発明の実施の形態】
以下、本発明の実施の形態について、図面を参照しながら説明する。
図１は実施の形態に係るＬＥＤ光源２０を示す斜視図であり、図２は当該ＬＥＤ光源２０の分解斜視図であり、図３はＬＥＤ光源２０の平面図である。ＬＥＤ光源２０は、金属ベースプリント基板２２上に複数個（本例では、６４個）のＬＥＤベアチップＣ11〜Ｃ88（符号については後述）が規則正しく配列されてなる多点光源であり、これらＬＥＤベアチップを一斉に発光させることによって面状光源として用いられるものである。
【００１３】
図２、図３に示すように、ＬＥＤ光源２０は、金属ベースプリント基板（以下、単に「プリント基板」と言う。）２２、当該プリント基板２２に搭載された６４個のＬＥＤベアチップＣ11〜Ｃ88、反射板２４、および封止樹脂２６などから構成される。
プリント基板２２は後述する金属板をベースとした多層（本例では、２層）プリント基板である。当該プリント基板２２は、無機質フィラー入り熱硬化性樹脂から成る絶縁層３０，３２（図７参照）の表面に金属からなる導体パターンが形成されてなる基板２枚３４，３６（図７参照）が、金属板（本例では、アルミニウム板）２８（図７参照）の上に積層された構成をしている。本実施の形態において、プリント基板２２は、無機質フィラーとしてアルミナを、熱硬化性樹脂としてエポキシ樹脂を使用したアルミナコンポジット基板が用いられている。また、導体パターンには、銅（Ｃｕ）の表面に、ニッケル（Ｎｉ）めっき、ついで、金（Ａｕ）めっきを行なったものが用いられている。なお、フィラーに用いるのは、アルミナに限らず、点灯時にＬＥＤベアチップから発生する熱を効率よく金属板に伝導する高熱伝導性を有するものであれば構わない。例えば、シリカやボロンナイトライドなどを用いることができる。
【００１４】
図４に基板３６の平面図を、図５に基板３４の平面図をそれぞれ示す。
図４に示すように、基板３６の絶縁層３２に形成された導体パターン３８は、配線パターン４０と給電ランドパターン４２とから成る。
配線パターン４０が形成された領域には、６４個のＬＥＤベアチップ（図１参照）が８行８列のマトリックス状に整然と搭載される。各ＬＥＤベアチップの搭載位置を符号Ｄｎｍ（ｎは行数をｍは列数を示し、いずれも１〜８の整数である。）で示す。また、各搭載位置に搭載されるＬＥＤベアチップをＣｎｍで表すこととする。すなわち、ｎ行ｍ列目の搭載位置に搭載されたＬＥＤベアチップをＣｎｍと表現する。
【００１５】
上記配線パターン４０は、各行における奇数列目のＬＥＤベアチップと偶数列目のＬＥＤベアチップの各々同士を直列に接続するためのものである。
給電ランドパターン４２は、封止樹脂２６による封止域外方にあって、外部電源と電気的に接続され、当該外部電源から給電を受けるためのものである。給電ランドパターン４２は、４個の給電ランド４２Ａ〜４２Ｄで構成されている。
【００１６】
図５に示す基板に形成された導体パターン４４は、前記配線パターン４０や前記給電ランドパターン４２とビアホール（図４、図５における小さい「○」印で示すもの。）を介して層間接続される配線パターンである。
当該配線パターン４４は、上記したように各行において直列接続された奇数列目のＬＥＤベアチップと、直列接続された偶数列目のＬＥＤベアチップとをさらに直列に接続する。すなわち、ＬＥＤベアチップは、各行毎に直列接続されている。例えば、１行目であれば、Ｃ11、Ｃ13、Ｃ15、Ｃ17、Ｃ12、Ｃ14、Ｃ16、Ｃ18の順に、ＬＥＤベアチップ同士が直列接続されている。
【００１７】
配線パターン４４は、さらに、各行毎に直列接続されたＬＥＤベアチップの第１行目〜第４行目間を行番号の順に直列に接続し、第５行目〜第８行目を同じく行番号順に直列に接続する。すなわち、１行1列目から４行８列目までのＬＥＤベアチップ（以下、これらのＬＥＤベアチップを「第１グループ」と称する。）が直列に接続され、５行１列目から８行８列目までのＬＥＤベアチップ（以下、これらのＬＥＤベアチップを「第２グループ」と称する。）が直列に接続されている。
【００１８】
この場合において、第１グループの中では、４行７列目のＬＥＤベアチップＣ47が低電位側末端となり、１行１列目のＬＥＤベアチップＣ11が高電位側末端となる。また、第２のグループの中では、５行７列目のＬＥＤベアチップＣ57が低電位側末端となり、８行１列目のＬＥＤベアチップＣ81が高電位側末端となる。
そして、ＬＥＤベアチップＣ11のアノード電極（不図示）と図４に示す配線４０Ａとが接続され、配線４０Ａは、図５に示す配線４４Ａを介して、図４に示す給電ランド４２Ａと接続される。
【００１９】
ＬＥＤベアチップＣ47のカソード電極（不図示）と図４に示す配線４０Ｂとが接続され、配線４０Ｂは、図５に示す配線４４Ｂを介して、図４に示す給電ランド４２Ｂと接続される。
ＬＥＤベアチップＣ57のカソード電極（不図示）と図４に示す配線４０Ｃとが接続され、配線４０Ｃは、図５に示す配線４４Ｃを介して、図４に示す給電ランド４２Ｃと接続される。
【００２０】
ＬＥＤベアチップＣ81のアノード電極（不図示）と図４に示す配線４０Ｄとが接続され、配線４０Ｄは、図５に示す配線４４Ｄを介して、図４に示す給電ランド４２Ｄと接続される。
図２に戻り、本例では、６４個のＬＥＤベアチップＣ11〜Ｃ88は全て、略直方体形をしたＩｎＧａＮ系のＬＥＤベアチップであり、その一面にアノード電極とカソード電極の両方を有する片面電極タイプのＬＥＤベアチップである。
【００２１】
反射板２４は、アルミニウムからなり、プリント基板２２（基板３６）におけるＬＥＤベアチップの各搭載位置Ｄ11〜Ｄ88に対応した位置に孔２４Ｈが開設されてなるものである（すなわち、孔２４Ｈの個数は６４個）。各孔２４Ｈは、上方（プリント基板２２側とは反対方向）に向かって広がったテーパー状の孔である。反射板２４のプリント基板２２と対向する面には、アルマイト処理が施されている。
【００２２】
封止樹脂２６は、透光性を有するエポキシ樹脂からなり、前記プリント基板２２とで前記ＬＥＤベアチップＣ11〜Ｃ88を封止する。また、封止樹脂２６は、プリント基板２２（基板３６）におけるＬＥＤベアチップの各搭載位置Ｄ11〜Ｄ88に対応した位置部分が凸レンズ状に形成されている（すなわち、凸レンズ２６Ｌの個数は６４個）。すなわち、封止樹脂２６はレンズ付き封止樹脂である。なお、封止樹脂に用いる材料は、エポキシ樹脂に限らない。例えば、シリコン樹脂やウレタン樹脂であってもよい。要は、少なくともＬＥＤベアチップを取り囲む部分の封止樹脂が透光性樹脂であればよいのである。あるいは、封止材料として低融点ガラスを用いることも可能である。すなわち、樹脂または低融点ガラスを封止体として用いることができるのである。
【００２３】
ＬＥＤ光源２０は、ＬＥＤベアチップＣ11〜Ｃ88が搭載されたプリント基板２２と、反射板２４と封止樹脂２６とが、この順に積層された構成をしている。
上記の構成からなるＬＥＤ光源２０の製造工程の一部について、図２および図６を参照しながら説明する。
▲１▼プリント基板２２の各ＬＥＤベアチップ搭載位置Ｄ11〜Ｄ88に、ＬＥＤベアチップＣ11〜Ｃ88をフリップチップ実装する。
【００２４】
▲２▼実装された各ＬＥＤベアチップＣ11〜Ｃ88の周囲を適量の蛍光体で被覆する。
▲３▼片面（下面）に接着剤が塗布された反射板２４を前記プリント基板２２に貼着する。
▲４▼反射板２４の各孔２４Ｈに対し前記封止樹脂２６の素材であるエポキシ樹脂を充填する。そして、充填されたエポキシ樹脂を半硬化させる。
【００２５】
▲５▼図６（ａ）に示す、封止樹脂を成形するための金型４８にエポキシ樹脂２６Ａを所定量注入する（図６（ｂ））。金型４８は、その外周の一部に切り欠き４９を有する。そして、注入されたエポキシ樹脂２６Ａを半硬化させる。なお、工程▲５▼は、上記工程▲４▼と並行して行われる。
▲６▼反射板２４が貼着されたプリント基板２２を当該反射板２４が下方を向くように反転させる。このとき、反射板２４の各孔２４Ｈに充填されたエポキシ樹脂は、半硬化しているので、垂れ落ちることはない。そして、反射板２４を上記金型４８のキャビティ内に押し込む。当該押し込みによって、金型４８に注入されたエポキシ樹脂２６Ａが反射板２４に充填されたエポキシ樹脂と一体なると共に、金型４８に注入されたエポキシ樹脂２６Ａの一部が反射板２４の外周に回り込み、プリント基板２２表面まで到達することとなる（図６（ｃ））。また、余分なエポキシ樹脂は、前記切り欠き４９を介して、金型４８外部へ漏出することとなる。これによって、金型４８外周をプリント基板２２表面に密着させることが可能となり、封止樹脂で反射板２４が取り囲まれることとなる。
【００２６】
▲７▼反射板２４を金型４８に嵌め込んだ状態で、エポキシ樹脂を完全に硬化させたのち、当該金型４８を取り外すことによって、図１に示すカード型のＬＥＤ光源２０が完成する。
図７は、ＬＥＤ光源２０を、図４に示すＡ・Ａ線に相当する位置で切断した拡大断面図である。
【００２７】
図７において、符号４６で指し示すものが前記蛍光体である。当該蛍光体４６は、蛍光体粉末が混入された樹脂からなる蛍光体であり、例えば、ＬＥＤベアチップから発生される青色〜紫外光を白色光に変換するものである。
図７に示すように、ＬＥＤベアチップＣ11のアノード電極（不図示）と接続された配線４０Ａと給電ランド４２Ａとが、絶縁層３０の表面に形成された、配線４４Ａを介して接続されている。すなわち、通常、給電用の導体パターンである配線４０Ａをそのまま延長して給電ランド４２Ａに接続するところ、給電ランド４２Ａの手前で当該配線の一部を絶縁層３０に形成して、ＬＥＤベアチップに給電するようにしているのである。その結果、封止樹脂２６は、配線４０Ａと配線４４Ａとからなる給電用の導体パターンが、プリント基板２２内部を経由する部分（配線４４Ａ部分）のプリント基板２２（絶縁層３２）と直に接触する状態で、ＬＥＤベアチップを封止することとなる。
【００２８】
上記のようにすることにより、封止樹脂２６は、絶縁層３２と直に接触する領域であって、上記給電用の導体パターンがプリント基板２２内部を経由する部分の絶縁層３２表面と直に接触する領域を含む、ＬＥＤベアチップＣ11〜Ｃ88を完全に取り囲む領域を有して、当該ＬＥＤベアチップＣ11〜Ｃ88を封止することとなる。ここで、封止樹脂と絶縁層とが直に接触する領域であって、ＬＥＤベアチップを完全に取り囲む領域を囲繞領域と言うこととする。図３に、斜線で示した領域が、ＬＥＤ光源２０における囲繞領域５０に該当する。
【００２９】
樹脂を組成成分に有する絶縁層３２と封止樹脂２６とは、接着性が良好な上に、線膨張係数も近似している関係上、ＬＥＤ光源２０の点灯によって加熱されたとしても、両者の間では剥離が生じにくい。したがって、たとえ、封止樹脂２６と導体パターン３８（本例では、配線パターン４０）との間で剥離が生じたとしても、上記囲繞領域によって、気密性が維持されることとなり、従来と比較して、ＬＥＤベアチップに対する防湿性を向上することができるのである。その結果、ＬＥＤベアチップＣ11〜Ｃ88の吸湿に起因する劣化が防止でき、ＬＥＤ光源２０の長寿命化が図れるのである。
【００３０】
図８は、このようなＬＥＤ光源２０を使用した照明装置６０の一例を示す図である。
図８に示すように、照明装置６０は、口金６２と反射傘６４が設けられたケース６６を有し、当該ケースにＬＥＤ光源２０が取付けられてなるものである。
口金６２は、一般の白熱電球に用いられるのと同規格のものである。反射傘６４は、ＬＥＤ光源２０から発せられる光を前方に反射する。ＬＥＤ光源２０は、ケース６６において口金６２と対向する側に設けられた開口部に取付けられている。ケース６６内には、商用電源から口金６２を介して入力される交流電力を直流電力に変換して、ＬＥＤ光源２０に供給する公知の電源回路（不図示）が収納されている。
【００３１】
以上、本発明を実施の形態に基づいて説明してきたが、本発明は、上記した形態に限らないことはもちろんであり、例えば、以下のような形態とすることもできる。
（１）上記実施の形態では、複数個あるＬＥＤベアチップを一括して封止樹脂で封止することとしたが、ＬＥＤベアチップ毎に個別に封止するようにしてもよい。
【００３２】
図９は、そのようにしたＬＥＤ光源７０の断面図の一部である。なお、本例では、蛍光体および反射板を配していない。ＬＥＤ光源７０では、金属ベースプリント基板７２の第２層目の基板７４に搭載されたＬＥＤベアチップＣ１〜Ｃ４の各々が個別に封止樹脂７６〜８２で封止されている。そのため、各ＬＥＤチップ間の配線の一部が第１層目の基板８４に配されている。すなわち、各ＬＥＤベアチップＣ１〜Ｃ４と直接接続された配線８６Ａ〜８６Ｈを対応する封止樹脂７６〜８２から露出させることなく、第１層目へ迂回させることにより、各ＬＥＤチップＣ１〜Ｃ４毎に囲繞領域を形成することとしたのである。
【００３３】
なお、高電位側末端または低電位側末端となるＬＥＤベアチップＣ１のアノード電極（不図示）またはカソード電極（不図示）と接続された配線８６Ａと、給電ランド８６Ｉとは、第１層目の基板の配線８８Ａを介して接続されている。すなわち、配線８６Ａと配線８８Ａとからなる給電用の導体パターンの一部（配線８８Ａ）をプリント基板７２内部に形成したことにより、ＬＥＤベアチップＣ１を封止する封止樹脂７６において、囲繞領域が形成されることとなっている。
（２）図１０は、ＬＥＤベアチップを１個用いて、表面実装型ＬＥＤ光源１００を構成した例を示す図である。図１０（ａ）は、当該表面実装型ＬＥＤ光源１００の平面図を、図１０（ｂ）は、図１０（ａ）におけるＢ・Ｂ線断面図をそれぞれ示している。
【００３４】
ＬＥＤベアチップ１０２は、第２層目の絶縁層１０４に形成された配線１０６とアノード電極（不図示）が、配線１０８とカソード電極（不図示）とがそれぞれ接続されている。
ＬＥＤベアチップ１０２を囲むように反射板１１０が設けられ、ＬＥＤベアチップ１０２と反射板１１０の両方を覆うように封止樹脂１１２が配されている。
【００３５】
第２層目の絶縁層１０４の両端部付近には、外部電源と接続するための給電ランド１１４，１１６が形成されており、当該給電ランド１１４，１１６は、第２層目の絶縁層１０４および第１層目の絶縁層１１８の端面を経由して第１層目の絶縁層１１８の下面まで延設されている。
配線１０６と給電ランド１１４とは、第１層目の絶縁層１１８に形成された配線１２０を介して接続され、配線１０８と給電ランド１１６とは、第１層目の絶縁層１１８に形成された配線１２２を介して接続されている。このように、各配線１０６，１０８と各給電ランド１１４，１１６とを第２層目の絶縁層１０４上で直接接続するのではなく、第１層目の絶縁層１１８に形成した配線１２０，１２２を介して接続することにより、図１０（ａ）において斜線で示す、封止樹脂による囲繞領域１２４が形成されるのである。
（３）上記実施の形態では、プリント基板に複数個のＬＥＤベアチップを搭載する構成としたが、搭載するＬＥＤベアチップの個数は１個であっても構わない。また、上記（２）に記した表面実装形ＬＥＤ光源では、ＬＥＤベアチップの個数は１個であったが、複数個のＬＥＤベアチップで構成することとしても良い。
（４）上記実施の形態では、２層の絶縁層でプリント基板を構成することとしたが、これに限らず、絶縁層の枚数は１層でも構わない。この場合には、配線パターンと給電ランドパターンとの接続は、当該絶縁層の裏面（ＬＥＤベアチップ搭載面とは反対側の面）に形成された配線パターンを介してなされる。また、金属板は貼着しない方が好ましい。
【００３６】
また、絶縁層の数は、３層以上であっても構わない。この場合には、配線パターンと給電ランドパターンとの接続は、ＬＥＤベアチップが搭載された絶縁層（基板）とは、異なる絶縁層に形成された配線パターンを介してなされる。もちろん、この場合であっても、配線パターンと給電ランドパターンとを、ＬＥＤベアチップが搭載された絶縁層（基板）の裏面に形成された配線パターンを介して接続することとしてもよい。
（５）上記実施の形態では、封止樹脂とは別個に蛍光体を配することとしたが、これに限らず、封止樹脂に蛍光体粉末を混入することにより、当該封止樹脂が蛍光体を兼ねるものとしても構わない。
（６）上記実施の形態では、ＬＥＤベアチップに青色〜紫外光を発するものを用いたが、ＬＥＤベアチップの種類は、これに限らないことは言うまでもなく、緑色光や赤色光を発するＬＥＤベアチップを用いてもよい。
【００３７】
また、蛍光体もＬＥＤベアチップの種類に応じて選択されるものであり、ＬＥＤベアチップによっては、蛍光体は不要であることは言うまでもない。
（７）上記実施の形態では、アノード電極とカソード電極とが略直方体形をしたＬＥＤベアチップの一面にある片面電極タイプのＬＥＤベアチップであったが、これに限らず、対向する面の各々に一方の電極を備えた両面電極タイプのＬＥＤベアチップを用いてもよい。
【００３８】
また、上記実施の形態では、ＬＥＤベアチップをフリップチップ実装によりプリント基板に搭載することとしたが、これに限らず、ワイヤーボンディングによって実装することとしてもよい。
（８）上記実施の形態では、照明装置の一例として、一般の白熱電球に代替する照明装置を開示したが、ＬＥＤ光源が適用される照明装置は、これに限らない。例えば、電気スタンドや懐中電灯の光源に適用しても構わない。また、一の照明装置に用いるカード型ＬＥＤ光源の枚数も、１枚に限らず複数枚としてもよい。
（９）また、上記実施の形態では、ＬＥＤ光源を照明装置に用いる例を紹介したが、当該ＬＥＤ光源を表示装置に用いることとしても構わない。すなわち、配線パターンを変更することにより、各ＬＥＤチップを個別に点灯できるようにし、公知の点灯制御回路を用いて、ＬＥＤ光源で文字や記号などを表示できるようにする。そして、そのようにしたカード型ＬＥＤ光源を表示部に用いて表示装置を構成するのである。
（１０）上記実施の形態では、給電ランドは、その全部を封止樹脂による封止域外方に出すこととしたが、給電ランドは、その一部が封止域内にあっても構わない。すなわち、給電ランドは、少なくともその一部が封止域外方にあればよいのである。少なくとも一部が封止域外方にあれば、外部電源を接続して給電することが可能であり、上述したようにして、囲繞領域を形成することができるからである。
【００３９】
【発明の効果】
以上説明したように、本発明に係るＬＥＤ光源によれば、樹脂が、給電用の導体パターンが基板内部若しくは裏面を経由する部分の基板表面部分と直に接触する状態で、ＬＥＤベアチップが封止されることとなるので、従来のものと比較して、ＬＥＤベアチップの当該樹脂による防湿性が向上する。その結果、ＬＥＤベアチップの劣化を防止でき、ＬＥＤ光源の長寿命化が図られる。
【００４０】
また、本発明に係る照明装置および表示装置によれば、上記のようなＬＥＤ光源が光源に用いられているので、上記と同様の効果が得られる。
【図面の簡単な説明】
【図１】実施の形態に係るＬＥＤ光源の斜視図である。
【図２】上記ＬＥＤ光源の分解斜視図である。
【図３】上記ＬＥＤ光源の平面図である。
【図４】上記ＬＥＤ光源の構成部材である基板の平面図である。
【図５】上記ＬＥＤ光源の構成部材である基板の平面図である。
【図６】上記ＬＥＤ光源の製造工程の一部を説明するための図である。
【図７】上記ＬＥＤ光源を、図４に示すＡ・Ａ線に相当する位置で切断した拡大断面図である。
【図８】実施の形態に係る照明装置を示す斜視図である。
【図９】ＬＥＤ光源の他の形態を示す断面図である。
【図１０】（ａ）は、表面実装型ＬＥＤ光源の平面図である。
（ｂ）は、上記図（ａ）におけるＢ・Ｂ線断面図である。
【符号の説明】
２２，７２    プリント基板
２８    金属板
２６，７６，１１２    封止樹脂
３０，３２，１０４，１１８    絶縁層
３８，４４，８６Ａ〜８６Ｉ，８８Ａ，１０６，１０８，１１４，１１６，１２０，１２２，    導体パターン
Ｃ11〜Ｃ88，Ｃ１〜Ｃ４，１０２    ＬＥＤベアチップ
【図１】
2004193357.tif 000003
【図２】
2004193357.tif 000004
【図３】
2004193357.tif 000005
【図４】
2004193357.tif 000006
【図５】
2004193357.tif 000007
【図６】
2004193357.tif 000008
【図７】
2004193357.tif 000009
【図８】
2004193357.tif 000010
【図９】
2004193357.tif 000011
【図１０】
2004193357.tif 000012